(57)【要約】【課題】  ストレージ機器を載置した機器載置筐体をラックに多段に搭載したストレージ装置における配線接続を容易にする。【解決手段】  ストレージ機器２４ａ，４ｂを載置した機器載置筐体２ｂを縦方向に複数段に並べてラック１に搭載するストレージ装置において、各ストレージ機器の配線接続は、ラックの後半に位置する支柱１ｃ５，１ｃ６に沿って設置した側面パタン印刷配線基板５ａ，５ｂと接続パタン印刷配線基板７ａ，７ｂを使用し、  ラックに搭載されたストレージ機器の機器配線コネクタと、このストレージ機器を載置する機器載置筐体の搭載位置の高さに対応する位置において側面パタン印刷配線基板に設けられている側面基板配線コネクタ５ａ１，５ｂ１に、接続パタン印刷配線基板の接続基板配線コネクタ７ａ１，７ｂ１，７ａ２，７ｂ２を嵌着させることでストレージ機器と前面パタン印刷配線基板を配線接続する。【選択図】図３
2014216039.tif 000002
【特許請求の範囲】
【請求項１】
ラックに複数のストレージ機器を縦方向に多段に並べて搭載するストレージ装置において、
前記ストレージ機器は、機器配線コネクタを備え、
前記ストレージ機器を載置して前記ラックに搭載する機器載置筐体と、
前記ラックの後半に位置する支柱に沿って設置され、パタン印刷配線を備え、前記ラックに搭載される前記機器載置筐体の搭載位置の高さに対応させた位置で前記パタン印刷配線に接続して設けられた側面基板配線コネクタを備えた側面パタン印刷配線基板と、
パタン印刷配線を備え、前記側面パタン印刷配線基板の側面基板配線コネクタと前記ストレージ機器の機器配線コネクタに着脱可能に適合する接続基板配線コネクタが前記パタン印刷配線の両端部に接続して設けられた接続パタン印刷配線基板を備え、
前記ラックに搭載されたストレージ機器の機器配線コネクタと、このストレージ機器を載置する機器載置筐体の搭載位置の高さに対応する位置において前記側面パタン印刷配線基板に設けられている側面基板配線コネクタに、前記接続パタン印刷配線基板を使用して該接続パタン印刷配線基板の接続基板配線コネクタを嵌着させることで前記ストレージ機器と前記側面パタン印刷配線基板を配線接続したことを特徴とするストレージ装置。
【請求項２】
請求項１において、側面パタン印刷配線基板と接続パタン印刷配線基板には、両者の配線接続が適合するときに符合する凹凸を設けたことを特徴とするストレージ装置。
【請求項３】
請求項１において、側面パタン印刷配線基板と接続パタン印刷配線基板には、両者の配線接続を照合する照合文字記号を設けたことを特徴とするストレージ装置。
【請求項４】
請求項１〜４の１項において、保守対象のストレージ機器に対応する接続パタン印刷配線基板を取り外すことにより保守対象のストレージ機器を機器搭載筐体に対して挿脱可能としたことを特徴とするストレージ装置。
【請求項５】
請求項１〜５の１項において、前記側面パタン印刷配線基板と接続パタン印刷配線基板の前記パタン印刷配線は、電源線と信号線の各隣に接地線を配置したことを特徴とするストレージ装置。
【発明の詳細な説明】
【技術分野】
【０００１】
本発明はストレージ装置に係り、特に、ラックに搭載したストレージ機器の配線接続に関する。
【背景技術】
【０００２】
ラックに複数のストレージ機器を多段に搭載して構成する大容量のストレージ装置は、ラックに搭載した各ストレージ機器の電源線や信号線の配線接続をラックの背面側で行っている。この配線接続は、ＳＡＳケーブルを用いて行っているが、多数のストレージ機器を搭載したストレージ装置では、多数のＳＡＳケーブルが使用される。
【先行技術文献】
【特許文献】
【０００３】
【特許文献１】特開２００７−１２８４９８号公報
【発明の概要】
【発明が解決しようとする課題】
【０００４】
ラックに多数のストレージ機器を多段に搭載して構成するストレージ装置は、各ストレージ機器に対する配線接続において、使用するケーブルの本数が多いことから誤接続の危険性があり、また、接続後のケーブル処理（結束処理）では多大な作業工数を必要とする。
【０００５】
本発明の１つの目的は、ラックに多数のストレージ機器を多段に搭載して構成するストレージ装置において、少ない作業工数で配線接続を可能にすることにある。
【０００６】
本発明の他の目的は、ラックに多数のストレージ機器を搭載して構成するストレージ装置において、更に、配線接続における誤接続の危険性を低減することにある。
【０００７】
本発明の他の目的は、ラックに多数のストレージ機器を搭載して構成するストレージ装置において、更に、保守作業を容易にすることにある。
【０００８】
本発明の他の目的は、ラックに多数のストレージ機器を搭載して構成するストレージ装置において、更に、信号品質の低下を軽減することにある。
【課題を解決するための手段】
【０００９】
本発明は、ラックに複数のストレージ機器を縦方向に多段に並べて搭載するストレージ装置において、
前記ストレージ機器は、機器配線コネクタを備え、
前記ストレージ機器を載置して前記ラックに搭載する機器載置筐体と、
前記ラックの後半に位置する支柱に沿って設置され、パタン印刷配線を備え、前記ラックに搭載される前記機器載置筐体の搭載位置の高さに対応させた位置で前記パタン印刷配線に接続して設けられた側面基板配線コネクタを備えた側面パタン印刷配線基板と、
パタン印刷配線を備え、前記側面パタン印刷配線基板の側面基板配線コネクタと前記ストレージ機器の機器配線コネクタに着脱可能に適合する接続基板配線コネクタが前記パタン印刷配線の両端部に接続して設けられた接続パタン印刷配線基板を備え、
前記ラックに搭載されたストレージ機器の機器配線コネクタと、このストレージ機器を載置する機器載置筐体の搭載位置の高さに対応する位置において前記側面パタン印刷配線基板に設けられている側面基板配線コネクタに、前記接続パタン印刷配線基板を使用して該接続パタン印刷配線基板の接続基板配線コネクタを嵌着させることで前記ストレージ機器と前記側面パタン印刷配線基板を配線接続した構成とする。
【００１０】
そして、前記側面パタン印刷配線基板と接続パタン印刷配線基板には、両者の配線接続が適合するときに符合する凹凸を設ける。
【００１１】
また、前記側面パタン印刷配線基板と接続パタン印刷配線基板には、両者の配線接続を照合する照合文字記号を設ける。
【００１２】
また、保守対象のストレージ機器に対応する接続パタン印刷配線基板を取り外すことにより保守対象のストレージ機器を機器搭載筐体に対して挿脱可能とする。
【００１３】
また、前記側面パタン印刷配線基板と接続パタン印刷配線基板の前記パタン印刷配線は、電源線と信号線の各隣に接地線を配置する。
【発明の効果】
【００１４】
本発明は、ラックに多数のストレージ機器を多段に搭載して構成するストレージ装置において、ストレージ機器の配線接続を、ラックの支柱に沿って設置した側面パタン印刷配線基板の側面基板配線コネクタと各ストレージ機器の機器配線コネクタをこれらの配線コネクタに嵌着する接続基板配線コネクタを備えた接続パタン印刷配線基板によって行うように構成したことにより、少ない作業工数で実現することができる。
【００１５】
また、側面パタン印刷配線基板の側面基板配線コネクタと該側面基板配線コネクタに対応する接続パタン印刷配線基板には両者の適合性を示す凹凸や照合文字記号を設けたことにより、配線接続における誤接続の危険性を低減することができる。
【００１６】
また、接続パタン印刷配線基板を取り外すことによりストレージ機器を着脱することができるので、ストレージ機器の保守作業を容易に行うことができる。
【００１７】
また、側面パタン印刷配線基板及び接続パタン印刷配線基板のパタン印刷配線は、電源線と信号線の各隣に接地線を配置する構成としたことにより、信号品質の低下を軽減することができる。
【図面の簡単な説明】
【００１８】
【図１】側板を取り外してストレージ装置の内部構成を示す斜視図である。
【図２】ラックに複数段に搭載された電源及びコンピュータ機器やストレージ機器とその配線接続状態を示す背面図（ａ）と側面図（ｂ）である。
【図３】ストレージ機器の配線接続状態を示す部分斜視図である。
【図４】側面パタン印刷配線基板と接続パタン印刷配線基板の配線接続の正当性を示す照合情報を示す背面図である。
【図５】側面パタン印刷配線基板のパタン印刷配線の一部を示す正面図である。
【図６】接続パタン印刷配線基板の斜視図（ａ）とパタン印刷配線の一部であるＡ部分を拡大して示す正面図（ｂ）である。
【図７】ストレージ機器が搭載されていない段の側面パタン印刷配線基板の側面基板配線コネクタにダミーコネクタを嵌着する状態を示す斜視図である。
【図８】ストレージ装置の保守作業状態を示す斜視図である。
【図９】機器載置筐体の縦方向のサイズ変更への対応状態を示すストレージ装置の背面図（ａ）と側面図（ｂ）である。
【発明を実施するための形態】
【００１９】
本発明は、ラックに複数のストレージ機器を縦方向に多段に並べて搭載するストレージ装置において、
前記ストレージ機器は、機器配線コネクタを備え、
前記ストレージ機器を載置して前記ラックに搭載する機器載置筐体と、
前記ラックの後半に位置する支柱に沿って設置され、パタン印刷配線を備え、前記ラックに搭載される前記機器載置筐体の搭載位置の高さに対応させた位置で前記パタン印刷配線に接続して設けられた側面基板配線コネクタを備えた側面パタン印刷配線基板と、
パタン印刷配線を備え、前記側面パタン印刷配線基板の側面基板配線コネクタと前記ストレージ機器の機器配線コネクタに着脱可能に適合する接続基板配線コネクタが前記パタン印刷配線の両端部に接続して設けられた接続パタン印刷配線基板を備え、
前記ラックに搭載されたストレージ機器の機器配線コネクタと、このストレージ機器を載置する機器載置筐体の搭載位置の高さに対応する位置において前記側面パタン印刷配線基板に設けられている側面基板配線コネクタに、前記接続パタン印刷配線基板を使用して該接続パタン印刷配線基板の接続基板配線コネクタを嵌着させることで前記ストレージ機器と前記側面パタン印刷配線基板を配線接続した構成とし、
そして、前記側面パタン印刷配線基板と接続パタン印刷配線基板には、両者の配線接続が適合するときに符合する凹凸を設け、
更に、前記側面パタン印刷配線基板と接続パタン印刷配線基板には、両者の配線接続を照合する照合文字記号を設け、
更に、保守対象のストレージ機器に対応する接続パタン印刷配線基板を取り外すことにより保守対象のストレージ機器を機器搭載筐体に対して挿脱可能とし、
更に、前記側面パタン印刷配線基板と接続パタン印刷配線基板の前記パタン印刷配線は、電源線と信号線の各隣に接地線を配置するように構成する。
【実施例】
【００２０】
この実施例のストレージ装置におけるラック１は、図１に示すように、底板１ａと天板１ｂの間に該底板１ａと天板１ｂの四隅と前後方向の中間部の両縁及び後半部の両縁に位置させて縦方向に介在させた複数の支柱１ｃ（１ｃ１，１ｃ２，１ｃ３，１ｃ４，１ｃ５，１ｃ６，１ｃ７，１ｃ８）で骨格を構成し、その外周を側板（図示省略）で覆って構成する。前側の２隅と中間部の両縁に位置させた支柱１ｃ１，１ｃ２，１ｃ３，１ｃ４は、電源及びコンピュータ機器やストレージ機器を載置する機器載置筐体２を縦方向に複数段に並べて搭載するための係合部（図示省略）を備える。後半部の両縁に位置させた支柱１ｃ５，１ｃ６は、側面パタン印刷配線基板（詳細は後述する）を設置するための支柱である。
【００２１】
図２は、前記ラック１に複数段に搭載された電源及びコンピュータ機器等の基本機器やストレージ機器とその配線接続状態を示す背面図（ａ）と側面図（ｂ）であり、図３は、その配線接続状態を示す部分斜視図である。
【００２２】
ラック１の最下段には、電源及びコンピュータ機器等の基本機器３ａ，３ｂが横方向に並べて載置された機器載置筐体２ａが後側から搭載され、それより上の段には、ストレージ機器４ａ，４ｂが横方向に並べて載置された機器載置筐体２ｂが順次に多段に後側から搭載される。基本機器３ａ，３ｂ及びストレージ機器４ａ，４ｂは、それぞれ、その後側端面に電源線や信号線を接続するための機器配線コネクタ（図示省略）を備える。ここで、各段の機器載置筐体２ａ，２ｂに横方向に並べて載置した左右の基本機器３ａ，３ｂ及びストレージ機器４ａ，４ｂは、並列に作動してお互いをバックアップするように機能する。
【００２３】
ラック１に搭載される機器載置筐体２ａ，２ｂよりも後方である前記後半部に位置する支柱１ｃ５，１ｃ６の後側面には、縦方向に沿って側面パタン印刷配線基板５ａ，５ｂが設置される。この側面パタン印刷配線基板５ａ，５ｂは、ラック最下段に搭載された機器載置筐体２ａに載置された基本機器３ａ，３ｂとそれよりも上の段に多段に搭載された各機器載置筐体２ｂに載置されているストレージ機器４ａ，４ｂとの電源接続や信号接続を仲介する電源線や信号線等のパタン印刷配線（詳細は後述する）と、このパタン印刷配線に電気的に接続された側面基板配線コネクタ５ａ１，５ｂ１を備える。
【００２４】
そして、最下段に搭載された基本機器３ａ，３ｂの機器配線コネクタと側面パタン印刷配線基板５ａ，５ｂの側面基板配線コネクタ５ａ１，５ｂ１の配線接続は、配線ケーブル６ａ，６ｂによって実現し、それよりも上の各段に搭載された各ストレージ機器４ａ，４ｂの機器配線コネクタと側面パタン印刷配線基板５ａ，５ｂの側面基板配線コネクタ５ａ１，５ｂ１は、それぞれ、接続パタン印刷配線基板７ａ，７ｂによって実現する。
【００２５】
接続パタン印刷配線基板７ａ，７ｂは、詳細は後述するが、電源線と信号線と接地線のパタン印刷配線を備え、このパタン印刷配線の一端部に電気的に接続されて前記側面パタン印刷配線基板５ａ，５ｂの側面基板配線コネクタ５ａ１，５ｂ１に着脱可能に嵌着する接続基板配線コネクタ７ａ１，７ｂ１を備え、他端部にもこのパタン印刷配線に電気的に接続されて前記ストレージ機器４ａ，４ｂの機器配線コネクタに着脱可能に嵌着する接続基板配線コネクタ７ａ２，７ｂ２を備える。そして、この接続パタン印刷配線基板７ａ，７ｂは、ラック１の後側の位置での作業で、一方の接続基板配線コネクタ７ａ１，７ｂ１を側面パタン印刷配線基板５ａ，５ｂの側面基板配線コネクタ５ａ１，５ｂ１に嵌着し、他方の接続基板配線コネクタ７ａ２，７ｂ２をストレージ機器４ａ，４ｂの機器配線コネクタに嵌着することによって、ストレージ機器４ａ，４ｂと側面パタン印刷配線基板５ａ，５ｂの配線接続を実現する。
【００２６】
なお、この実施例において、各機器間はＳＡＳによって信号伝達を行う形態であり、側面パタン印刷配線基板５ａ，５ｂ及び接続パタン印刷配線基板７ａ，７ｂのパタン印刷配線はこのＳＡＳに適合するように構成される。
【００２７】
このように側面パタン印刷配線基板５ａ，５ｂと接続パタン印刷配線基板７ａ，７ｂを使用して配線接続を行う構成において、ストレージ機器４ａ，４ｂと側面パタン印刷配線基板５ａ，５ｂの配線接続に不相応な接続パタン印刷配線基板７ａ，７ｂを使用すると、誤配線接続の原因となる。特に、保守作業において、複数の接続パタン印刷配線基板７ａ，７ｂを取り外し、組み立て時に接続パタン印刷配線基板７ａ，７ｂを取り違えて取り付けてしまうと、配線仕様が異なっている場合には元の配線接続状態に戻らず、誤配線状態となってしまう場合がある。
【００２８】
このような誤配線接続を防止するために、この実施例における側面パタン印刷配線基板５ａ，５ｂと接続パタン印刷配線基板７ａ，７ｂにおける配線コネクタ嵌着位置付近には、図４に示すように、配線接続の正当性を示す照合情報として、誤取り付け防止ほぞ５ａ２，５ｂ２と誤取り付け防止ほぞ穴７ａ３，７ｂ３及び照合文字記号５ａ３，５ｂ３，７ａ４，７ｂ４を設ける。
【００２９】
誤取り付け防止ほぞ５ａ２，５ｂ２と誤取り付け防止ほぞ穴７ａ３，７ｂ３は、接続パタン印刷配線基板７ａ，７ｂの接続基板配線コネクタ７ａ２，７ｂ２を側面パタン印刷配線基板５ａ，５ｂの相応する側面基板配線コネクタ５ａ１，５ｂ１に嵌着しようとするときには誤取り付け防止ほぞ５ａ２，５ｂ２と誤取り付け防止ほぞ穴７ａ３，７ｂ３が符合して嵌合することにより配線コネクタ同士の嵌着が可能となり、不相応な接続パタン印刷配線基板７ａ，７ｂの接続基板配線コネクタ７ａ２，７ｂ２を嵌着しようとするとするときには誤取り付け防止ほぞ５ａ２，５ｂ２と誤取り付け防止ほぞ穴７ａ３，７ｂ３が符合せずに嵌合しないようにして配線コネクタ同士の嵌着が不能となるように位置決めして構成する。
【００３０】
誤取り付け防止ほぞ５ａ２，５ｂ２と誤取り付け防止ほぞ穴７ａ３，７ｂ３は、他の形状の凹凸に変形することが可能である。
【００３１】
また、照合文字記号５ａ３，５ｂ３，７ａ４，７ｂ４は、相応する接続パタン印刷配線基板７ａ，７ｂを目視で確認して選択することができるように、側面パタン印刷配線基板５ａ，５ｂと接続パタン印刷配線基板７ａ，７ｂの対応する位置に同一の文字記号を付したものである。
【００３２】
ここで、図５を参照して側面パタン印刷配線基板５ａ，５ｂの具体例を説明する。この側面パタン印刷配線基板５ａ，５ｂは、左右対称形態の構成であるので、側面パタン印刷配線基板５ａについて説明する。
【００３３】
側面パタン印刷配線基板５ａは、支柱１ｃ５の後側面に沿って止めネジ９によって縦長状態に取り付ける絶縁基板５ａ４の表面にパタン印刷配線５ａ５によって電源線及び電源線５ａ５１と接地５ａ５２が設けられる。そして、この側面パタン印刷配線基板５ａの最下端部には、最下段の機器載置筐体２ａに載置してラック１に搭載される基本機器３ａからの配線ケーブル６ａの配線コネクタを嵌着するための前記側面基板配線コネクタ５ａ１が前記パタン印刷配線５ａ５に電気的に接続して設置される。また、それよりも上の段に搭載される各ストレージ機器４ａとの接続に使用される接続パタン印刷配線基板５ａの接続基板配線コネクタ７ａ１を嵌着するための各側面基板配線コネクタ５ａ１は、ラック１に搭載される前記機器載置筐体２ａの各段の搭載位置の高さに対応させた位置で前記パタン印刷配線５ａ５に電気的に接続して設置される。
【００３４】
次に、図６を参照して接続パタン印刷配線基板７ａ，７ｂの具体例を説明する。この接続パタン印刷配線基板７ａ，７ｂは、左右対称形態の構成であるので、接続パタン印刷配線基板７ａについて説明する。
【００３５】
接続パタン印刷配線基板７ａは、側面パタン印刷配線基板５ａの側面基板配線コネクタ５ａ１の位置から横方向の内側に向かってストレージ機器４ａの機器配線コネクタの後方位置まで水平に伸びる絶縁基板横長部７ａ５と、この絶縁基板横長部７ａ５の内端部分からからストレージ機器４ａの機器配線コネクタの位置まで前後方向の内側に向かって伸びるフレキシブル絶縁基板前後部７ａ６を備え、この絶縁基板横長部７ａ５とフレキシブル絶縁基板前後部７ａ６の表面にパタン印刷配線７ａ７によって電源線７ａ７１と信号線７ａ７２と接地線７ａ７３が設けられる。接地線７ａ７３は、電源線７ａ７１と信号線７ａ７２の各隣に位置するように配置することによって信号品質の劣化を抑制するように機能させる。そして、接続パタン印刷配線基板７ａにおける絶縁基板横長部７ａ５の外端部には、側面パタン印刷配線基板５ａに設けられた側面基板配線コネクタ５ａ１に嵌着するための接続基板配線コネクタ７ａ１が前記パタン印刷配線７ａ７に電気的に接続して設けられ、フレキシブル絶縁基板前後部７ａ６の外端部にはストレージ機器４ａの機器配線コネクタに嵌着するための接続基板配線コネクタ７ａ２が前記パタン印刷配線７ａ７に電気的に接続して設けられる。接続パタン印刷配線基板７ａは、絶縁基板横長部７ａ５の内端部とフレキシブル絶縁基板前後部７ａ６の外端部をパタン印刷配線７ａ７に電気的に接続される接続基板配線コネクタによって結合することにより構成する。
【００３６】
なお、前述した側面パタン印刷配線基板５ａの表面のパタン印刷配線５ａ５も同様の形態に形成する。
【００３７】
この実施例におけるストレージ装置は、支柱１ｃ５，１ｃ６の後側面に縦方向に沿って側面パタン印刷配線基板５ａ，５ｂを設置したラック１の最下段に、基本機器３ａ，３ｂを機器載置筐体２ａに後側から挿し込むように載置して搭載する。そして、それよりも上の段に、ストレージ機器４ａ，４ｂを機器載置筐体２ｂに後側から挿し込むように載置して多段に搭載する。
【００３８】
その後、基本機器３ａ，３ｂの機器配線コネクタと側面パタン印刷配線基板５ａ，５ｂの側面基板配線コネクタ５ａ１，５ｂ１の配線接続を配線ケーブル６ａ，６ｂによって行う。
【００３９】
そして、各ストレージ機器４ａ，４ｂの機器配線コネクタと側面パタン印刷配線基板５ａ，５ｂの側面基板配線コネクタ５ａ１，５ｂ１を、それぞれ、接続パタン印刷配線基板７ａ，７ｂによって配線接続する。この接続パタン印刷配線基板７ａ，７ｂによる配線接続は、その後、結束処理を必要としないので、少ない作業工数で実現することができる。この配線接続において、各段のストレージ機器４ａ，４ｂと側面パタン印刷配線基板５ａ，５ｂの配線接続に使用する接続パタン印刷配線基板７ａ，７ｂは、側面パタン印刷配線基板５ａ，５ｂに設けた照合文字記号５ａ３，５ｂ３と接続パタン印刷配線基板７ａ，７ｂに設けた照合文字記号７ａ４，７ｂ４を目視で参照して選択することができ、しかも、誤視認して不相応な接続パタン印刷配線基板７ａ，７ｂを選択したときには誤取り付け防止ほぞ５ａ２，５ｂ２と誤取り付け防止ほぞ穴７ａ３，７ｂ３が符合せずに嵌合しないことから、誤配線接続の恐れがない。
【００４０】
また、ストレージ機器４ａ，４ｂが搭載されていない段が存在する場合には、図７に示すように、この段に対応する側面パタン印刷配線基板５ａ（５ｂ）の側面基板配線コネクタ５ａ１（５ｂ１）にダミーコネクタ８を嵌着して配線パタン印刷配線５ａ５における上下段間を直列接続する。
【００４１】
このようにして構成したストレージ装置を保守作業するときには、図８に示すように、ラック１の後側での作業により、ラック１に搭載されている保守対象のストレージ機器４ａに対応する接続パタン印刷配線基板７ａの接続基板配線コネクタ７ａ１，７ａ２を側面パタン印刷配線基板５ａの側面基板配線コネクタ５ａ１とストレージ機器４ａの機器配線コネクタから引き抜いて該接続パタン印刷配線基板７ａを取り外し、次いで、保守対象のストレージ機器４ａを機器載置筐体２ａから後方に引き抜いて取り出して該ストレージ機器４ａを処理する。そして、処理後は、ストレージ機器４ａを機器載置筐体２ａに挿し込んで再載置した後に接続パタン印刷配線基板７ａの接続基板配線コネクタ７ａ１，７ａ２を側面パタン印刷配線基板５ａの側面基板配線コネクタ５ａ１とストレージ機器４ａの機器配線コネクタに嵌着するようにして組み立て作業を行う。
【００４２】
この保守作業において複数段のストレージ機器４ａを機器載置筐体２ａから引き抜いて処理するときの処理後の組み立て作業においては、機器載置筐体２ｂに挿入して戻したストレージ機器４ａと側面パタン印刷配線基板５ａの側面基板配線コネクタ５ａ１との配線接続に使用する接続パタン印刷配線基板７ａの選択は、側面パタン印刷配線基板５ａに設けられている照合文字記号５ａ３と取り外されている接続パタン印刷配線基板７ａに設けられている照合文字記号７ａ４を目視で参照して同一照合文字記号５ａ３，５ｂ３，７ａ４，７ｂ４のものを選択するように行う。しかも、誤視認して不相応な接続パタン印刷配線基板７ａを選択したときには誤取り付け防止ほぞ５ａ２と誤取り付け防止ほぞ穴７ａ３が符合せずに嵌合しないことから、使用する接続パタン印刷配線基板７ａを間違えて誤配線接続となる恐れがない。
【００４３】
この実施例におけるストレージ装置は、機器載置筐体２ｂの縦方向のサイズ変更に対応することができる。例えば、図９の（ａ），（ｂ）に示すように、縦方向に２倍のサイズの機器載置筐体２ｃを使用して大型のストレージ機器４ｃを載置して搭載するときには、搭載領域の中間に位置する側面パタン印刷配線基板５ａの側面基板配線コネクタ５ａ１はダミーコネクタ８を嵌着して配線パタン印刷配線５ａ５における上下段間を直列接続し、その上の段の側面基板配線コネクタ５ａ１と倍サイズの機器載置筐体２ｃの機器配線コネクタを接続パタン印刷配線基板７ａで配線接続するようにすることができる。
但し、このようなサイズ変更への対応は、側面パタン印刷配線基板５ａの側面基板配線コネクタ５ａ１の位置を使用する機器載置筐体２ｂ，２ｃのサイズに応じて変えることによっても実現することができる。
【符号の説明】
【００４４】
１…ラック  １ｃ（１ｃ１，１ｃ２，１ｃ３，１ｃ４，１ｃ５，１ｃ６，１ｃ７，１ｃ８）…支柱  ２ａ，２ｂ…機器載置筐体  ３ａ，３ｂ…基本機器  ４ａ，４ｂ…ストレージ機器  ５ａ，５ｂ…側面パタン印刷配線基板  ５ａ１，５ｂ１…側面基板配線コネクタ  ５ａ２，５ｂ２…誤取り付け防止ほぞ  ５ａ３，５ｂ３…照合文字記号  ５ａ４…絶縁基板  ５ａ５…パタン印刷配線  ５ａ５１…電源線  ５ａ５２…信号線  ５ａ５３…接地線  ６ａ，６ｂ…配線ケーブル  ７ａ，７ｂ…接続パタン印刷配線基板  ７ａ１，７ｂ１，７ａ２，７ｂ２…接続基板配線コネクタ  ７ａ３，７ｂ３  …誤取り付け防止ほぞ穴  ７ａ４，７ｂ４…照合文字記号        ７ａ５…絶縁基板横長部  ７ａ６…絶縁基板前後部  ７ａ７…パタン印刷配線  ７ａ７１…電源線  ７ａ７２…信号線  ７ａ７３…接地線  ８…ダミーコネクタ。
【図１】
2014216039.tif 000003
【図２】
2014216039.tif 000004
【図３】
2014216039.tif 000005
【図４】
2014216039.tif 000006
【図５】
2014216039.tif 000007
【図７】
2014216039.tif 000008
【図８】
2014216039.tif 000009
【図９】
2014216039.tif 000010
【図６】
2014216039.tif 000011